【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
倒伏する向きに回動するシートバックを備えたシート本体と、
該シート本体をスライド移動させるスライドレール機構と、
該スライドレール機構による前記シート本体のスライド動作に対する規制の設定及び解除を切り替えるために動作する規制切り替え機構と、を備え、
該規制切り替え機構は、
前記シートバックが起立姿勢にあるとき前記シート本体がスライド移動範囲において所定区間の一端を越えて移動することを、スライドロックを設定することにより制限し、
前記スライドロックを解除して、前記シート本体が前記スライド移動範囲において前記所定区間の一端に向かって移動して該一端を越えると、解除された前記スライドロックを再設定することを特徴とする車両用シート。
【請求項２】
前記規制切り替え機構は、前記シートバックの倒伏角度が所定の大きさ以上になるまで前記シートバックが回動した場合に、前記シートバックの回動動作に連動して前記スライドロックを解除することを特徴とする請求項１に記載の車両用シート。
【請求項３】
前記規制切り替え機構は、前記シートバックの倒伏角度が所定の大きさ以上になるまで前記シートバックが回動した場合に、前記シートバックの回動動作に連動して前記スライドロックを解除する第一連動ユニットを備えることを特徴とする請求項１に記載の車両用シート。
【請求項４】
前記スライドレール機構は、前記シート本体と連結した一対のアッパレールを有し、
該一対のアッパレールのうちいずれか一方のアッパレールに取り付けられ、前記シートバックの倒伏角度により前記シート本体のスライド移動を規制する第二連動ユニットと、
前記一対のアッパレールのうち他方のアッパレールに取り付けられ、第三ケーブルが牽引されることにより前記スライドロックを解除することが可能なスライドロック解除機構と、を備えることを特徴とする請求項１乃至３のいずれか一項に記載の車両用シート。
【請求項５】
前記一対のアッパレールのうち前記スライドロック解除機構が取り付けられていない側のアッパレールに取り付けられ、前記シート本体の位置を検知するための第三連動ユニットを備えることを特徴とする請求項４に記載の車両用シート。
【請求項６】
前記シート本体の位置を検知するための段差が、前記一対のアッパレールのうち前記スライドロック解除機構が取り付けられていない側のアッパレールの下方に形成されていることを特徴とする請求項４又は５に記載の車両用シート。
【請求項７】
前記第三連動ユニットは、前記シートバックに取り付けられた係合ブロックと、前記シート本体の所定部位に回動可能な状態で支持され、後端部に規制部を有する起立規制用リンクと、を備えており、
前記係合ブロックの外周面には角状の凹みが形成されていて、
前記シートバックが前傾姿勢にあって前記倒伏角度が所定の角度以上である場合、前記凹みと前記規制部とが係合しあい、前記シートバックの起立動作が規制されることを特徴とする請求項５に記載の車両用シート。
【請求項８】
前記スライドロックが再設定された状態のときに、解除レバーが操作されることにより前記スライドロックが解除されることを特徴とする請求項１乃至７のいずれか一項に記載の車両用シート。
【手続補正２】
【補正対象書類名】明細書
【補正対象項目名】０００９
【補正方法】変更
【補正の内容】
【０００９】
そこで、本発明は、上記の問題に鑑みてなされたものであり、その目的は、スライド移動範囲におけるシート本体の位置に応じてスライドロックの設定／解除を切り替える構成を有する車両用シートを提供することにある。
また、本発明の他の目的は、シートバックが起立姿勢にあるときにシート本体がスライド移動範囲において所定区間の一端を越えるのを制限するための機構をより簡単な構成とすることである。
【手続補正３】
【補正対象書類名】明細書
【補正対象項目名】００１０
【補正方法】変更
【補正の内容】
【００１０】
前記課題は、本発明の車両用シートによれば、倒伏する向きに回動するシートバックを備えたシート本体と、該シート本体をスライド移動させるスライドレール機構と、該スライドレール機構による前記シート本体のスライド動作に対する規制の設定及び解除を切り替えるために動作する規制切り替え機構と、を備え、該規制切り替え機構は、前記シートバックが起立姿勢にあるとき前記シート本体がスライド移動範囲において所定区間の一端を越えて移動することを、スライドロックを設定することにより制限し、前記スライドロックを解除して、前記シート本体が前記スライド移動範囲において前記所定区間の一端に向かって移動して該一端を越えると、解除された前記スライドロックを再設定することにより解決される。
【手続補正４】
【補正対象書類名】明細書
【補正対象項目名】００１１
【補正方法】変更
【補正の内容】
【００１１】
以上のように構成された本発明の車両用シートでは、シート本体のスライド動作に対する規制（スライドロック）の設定／解除を切り替えるために動作する規制切り替え機構が設けられている。
上述の構成であれば、スライド移動範囲におけるシート本体の位置に応じてスライドロックの設定／解除を切り替える規制切り替え機構を比較的簡単な構成にて実現することが可能となる。
【手続補正５】
【補正対象書類名】明細書
【補正対象項目名】００１２
【補正方法】変更
【補正の内容】
【００１２】
また、上記の車両用シートについて好適な構成を述べると、前記規制切り替え機構は、前記シートバックの倒伏角度が所定の大きさ以上になるまで前記シートバックが回動した場合に、前記シートバックの回動動作に連動して前記スライドロックを解除するとよい。
【手続補正６】
【補正対象書類名】明細書
【補正対象項目名】００１３
【補正方法】変更
【補正の内容】
【００１３】
また、上記の車両用シートについてより好適な構成を述べると、前記規制切り替え機構は、前記シートバックの倒伏角度が所定の大きさ以上になるまで前記シートバックが回動した場合に、前記シートバックの回動動作に連動して前記スライドロックを解除する第一連動ユニットを備えるとよい。
【手続補正７】
【補正対象書類名】明細書
【補正対象項目名】００１４
【補正方法】変更
【補正の内容】
【００１４】
また、上記の車両用シートについてより好適な構成を述べると、前記スライドレール機構は、前記シート本体と連結した一対のアッパレールを有し、該一対のアッパレールのうちいずれか一方のアッパレールに取り付けられ、前記シートバックの倒伏角度により前記シート本体のスライド移動を規制する第二連動ユニットと、前記一対のアッパレールのうち他方のアッパレールに取り付けられ、第三ケーブルが牽引されることにより前記スライドロックを解除することが可能なスライドロック解除機構と、を備えるとよい。
【手続補正８】
【補正対象書類名】明細書
【補正対象項目名】００１５
【補正方法】変更
【補正の内容】
【００１５】
また、上記の車両用シートについてより好適な構成を述べると、前記一対のアッパレールのうち前記スライドロック解除機構が取り付けられていない側のアッパレールに取り付けられ、前記シート本体の位置を検知するための第三連動ユニットを備えるとよい。
【手続補正９】
【補正対象書類名】明細書
【補正対象項目名】００１６
【補正方法】変更
【補正の内容】
【００１６】
また、上記の車両用シートについてより好適な構成を述べると、前記シート本体の位置を検知するための段差が、前記一対のアッパレールのうち前記スライドロック解除機構が取り付けられていない側のアッパレールの下方に形成されているとよい。
【手続補正１０】
【補正対象書類名】明細書
【補正対象項目名】００１７
【補正方法】変更
【補正の内容】
【００１７】
また、上記の車両用シートについてより好適な構成を述べると、前記第三連動ユニットは、前記シートバックに取り付けられた係合ブロックと、前記シート本体の所定部位に回動可能な状態で支持され、後端部に規制部を有する起立規制用リンクと、を備えており、前記係合ブロックの外周面には角状の凹みが形成されていて、前記シートバックが前傾姿勢にあって前記倒伏角度が所定の角度以上である場合、前記凹みと前記規制部とが係合しあい、前記シートバックの起立動作が規制されるとよい。
【手続補正１１】
【補正対象書類名】明細書
【補正対象項目名】００１８
【補正方法】変更
【補正の内容】
【００１８】
また、上記の車両用シートについてより好適な構成を述べると、前記スライドロックが再設定された状態のときに、解除レバーが操作されることにより前記スライドロックが解除されるとよい。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
本発明の車両用シートによれば、スライド移動範囲におけるシート本体の位置に応じてスライドロックの設定／解除を切り替えるための機構を提供できる。